(57)【要約】      （修正有）【課題】使用するデータ収集周辺機器の信頼性を検証する。【解決手段】使用するデータ収集周辺機器は、少なくとも１つの識別子を含んでいる。認証サーバによって識別子を受信するステップと、識別の判定を伝達しながら、認証サーバによって、参照される信頼できる周辺機器に対する識別子の関連性を検証するステップと、サーバによって識別の判定を送信するステップとを含んでいる。【選択図】図２
2014041607.tif 000002
【特許請求の範囲】
【請求項１】
使用するデータ収集周辺機器の信頼性を検証する方法において、該使用するデータ収集周辺機器が少なくとも１つの識別子を有する該方法は、
認証サーバによって前記識別子を受信するステップと、
識別の判定を伝達しながら、前記認証サーバによって、参照される信頼できる周辺機器に対する前記識別子の関連性を検証するステップと、
前記サーバによって、前記識別の判定を送信するステップとを含み、
前記方法は、前記認証サーバによって、前記使用するデータ収集周辺機器から来る補完情報の少なくとも１つを得るステップをさらに含み、前記補完情報は、前記使用するデータ収集周辺機器に対するダメージ及び／又は侵入がないことを示していることを特徴とする方法。
【請求項２】
前記検証する方法は、前記使用するデータ収集周辺機器に対する認証の判定を伝達しながら、前記使用するデータ収集周辺機器の信頼性をチェックするステップを含むことを特徴とする、請求項１に記載の検証する方法。
【請求項３】
前記検証する方法は、さらに、前記送信するステップに先立って少なくとも前記識別子の取得を可能にする取得するステップを含むことを特徴とする、請求項１又は２のいずれか一項に記載の検証する方法。
【請求項４】
前記取得するステップは、
前記識別子を有する前記使用するデータ収集周辺機器によりもたらされるバーコード及び／又はフラッシュ・コードを読み取るステップと、
無線通信手段によって前記識別子を有するデータ・ストリームを受信するステップと、
前記識別子を有する前記使用するデータ収集周辺機器によりもたらされるＲＦＩＤラベルを読み取るステップと、
前記識別子を有する前記使用するデータ収集周辺機器によりもたらされる文字を光学認識するステップとを含むグループに属するサブステップを含むことを特徴とする、請求項３に記載の検証する方法。
【請求項５】
前記取得するステップは、前記認証サーバを指定するために情報をさらに提供することを特徴とする請求項３又は４のいずれか一項に記載の検証する方法。
【請求項６】
前記検証するステップは、前記参照される信頼できる周辺機器に関連付けられた通信端末を指定する情報を取得するサブステップを含むことを特徴とする請求項１〜５のいずれか一項に記載の検証する方法。
【請求項７】
前記識別判定を送信するステップは、前記使用するデータ収集周辺機器の信頼性をチェックするステップに先立って、
前記識別子に関連付けられた前記参照される信頼できる周辺機器に示される少なくとも１つのデータを送信するステップと、
少なくとも１つの通信端末に示された少なくとも１つのデータを送信するステップと、
前記識別子に関連付けられた前記参照される信頼できる周辺機器からのテスト・シーケンスを開始するステップと、
これらのサブステップの幾つかの組合せと
を含むグループに属する少なくとも１つのサブステップを含むことを特徴とする請求項２に記載の検証する方法。
【請求項８】
前記識別子は通信端末から送信され、前記識別の判定は前記通信端末によって受信されることを特徴とする、請求項１〜７のいずれか一項に記載の検証する方法。
【請求項９】
コンピュータで実行されるとき、請求項１〜８のいずれか一項に係る方法を実行するためのプログラム・コード命令を含むコンピュータ・プログラム製品。
【請求項１０】
使用するデータ収集周辺機器を認証するためのサーバにおいて、前記周辺機器は少なくとも１つの識別子を有する該サーバは、
前記識別子を受信する手段と、
識別の判定を伝達しながら、参照される信頼できる周辺機器に対する前記識別子の関連性を検証する手段と、
前記識別の判定を送信する手段と
を備え、
前記サーバは、前記使用するデータ収集周辺機器から来る補完情報の少なくとも１つを得る手段をさらに含み、前記補完情報は、使用する前記データ収集周辺機器に対する劣化がないこと及び／又は侵入がないことを示していることを特徴とするサーバ。
【請求項１１】
第１の通信端末に接続される、使用するデータ収集周辺機器の信頼性を検証するシステムにおいて、前記周辺機器は少なくとも１つの識別子を有し、前記システムは少なくとも１つの第２の通信端末、及び周辺機器を検証するためのサーバを含む該システムは、
前記識別子を前記第２の通信端末から前記サーバに送信する手段と、
識別の判定を伝達しながら、前記サーバによって、参照される信頼できる周辺機器に対する前記識別子の関連性を検証する手段と、
前記識別の判定を前記サーバから前記第２の端末に送信する手段と
を備え、
さらに、前記第１の端末が使用する認証された周辺機器からの特定のデータ・シーケンスの取得をテストするための手段と、
前記認証サーバによって、前記使用するデータ収集周辺機器から来る補完情報の少なくとも１つを得る手段であって、前記補完情報は前記使用するデータ収集周辺機器に対するダメージ及び／又は侵入がないことを示している手段と
を備えることを特徴とするシステム。
【発明の詳細な説明】
【技術分野】
【０００１】
本発明の分野は、電子支払い端末の分野であり、より具体的には携帯型あるいは移動式支払い端末の分野であり、また特に、接触式又は非接触式磁気カードなどの電子カード、特に電子支払いカードを読み取る手段を備えた、（ＤＡＰあるいは移動データ・リーダと呼ばれる）着脱式のデータ収集周辺機器などの支払いアクセサリの分野である。
【０００２】
例えば電話オーディオ・コネクタ経由で、インターネット通信機能を備えた電話に対するこのような周辺機器の簡単な接続は、支払いを行うことができる端末を有することを実際に可能にする。例えば、磁気カード上で読み取られたデータは、周辺機器によってＤＴＭＦコードの形式で電話に送信することができ、この電話は次に、それらのデータをオンライン支払いアプリケーションに送信することができる。
【背景技術】
【０００３】
ＤＡＰに組み込むことができる機能は、ＤＡＰを、特に様々な環境、例えば通信インフラがない環境の中で、新規な用途に適合させることができる。従って、ＤＡＰによる支払いは、私的な個人のスマートフォンを介して、又は、例えば個人の家で働く取引者（artisan）や見本市や市場で動き回る取引者（artisan）といった屋外で商取引をする商取引者を介して、行われることができる。
【０００４】
特に、顧客には知られていない遊動する商取引者によるこれらの用途の新規な発展性は、顧客にとって新たな信頼問題を生じさせる。
【０００５】
さらに、これらの端末のハードウェア機能は比較的基本的であり、低コストで実現することができる。従って、このような端末を作るのは容易である。
【０００６】
このことは、例えば、顧客から秘密のバンキング・データを得ることを目的にした、又は不当な金額の借方を得ることを目的にした、そのような端末の成功例及び不正なソリューションの開発を説明する。
【発明の概要】
【発明が解決しようとする課題】
【０００７】
本発明は、少なくとも１つの実施形態の中で、従来技術のこれらの種々の欠点を克服することを特に目的としている。
【０００８】
より具体的には、本発明の少なくとも１つの実施形態の目的は、このＤＡＰから支払いを行うことを望むＤＡＰのユーザを安心させるために使用できる技術を提供することである。
【０００９】
本発明の少なくとも１つの実施形態は、どのような特定の技術的能力を必要とせずユーザが容易に実行できる種類の技術を提供することも目的としている。
【００１０】
本発明の少なくとも１つの実施形態の別の目的は、市場で入手可能な標準的な通信端末を介して使用することができる種類の技術を提供することである。
【課題を解決するための手段】
【００１１】
本発明の１つの特定の実施形態は、使用するデータ収集周辺機器の信頼性を検証するための方法を提案する。前記使用するデータ収集周辺機器は、少なくとも１つの識別子を備えている。
【００１２】
本発明によれば、そのような方法は、認証サーバによって前記識別子を受信するステップと、識別の判定を伝達しながら、前記認証サーバによって、参照される信頼できる周辺機器に対する前記識別子の関連付けを検証するステップと、前記サーバによって、前記識別の判定を送信するステップとを含んでいる。
【００１３】
このため、本発明の解決策により、機密データ（例えば、銀行データ）を扱うためにＤＡＰを使用する必要があるユーザは、それを使用する前に、このＤＡＰの無害な性質を確認することができる。
【００１４】
本発明の１つの特定の特徴によれば、本方法は、前記認証サーバによって、前記使用するデータ収集周辺機器から来る補完情報の少なくとも１つを得るステップをさらに含んでいる。この補完情報は、前記使用するデータ収集周辺機器に対するダメージ及び／又は侵入がないことを示している。
【００１５】
従って、本発明は、サーバが応答している間に、周辺機器の信頼性を考慮することができるだけでなく、ＤＡＰが物理的な安全手段を備えている場合、この周辺機器に入力された又はこの周辺機器によって読み取られたデータを不正に得るといった、周辺機器に対する何らかの起こり得るダメージ又は侵入を検出することを可能にする。
【００１６】
本発明の１つの特定の特徴によれば、本方法は、前記使用するデータ収集周辺機器の認証の判定を伝達しながら、前記使用するデータ収集周辺機器の信頼性をチェックするステップを含んでいる。
【００１７】
これにより、本発明は、信頼できるＤＡＰに対応する識別子を不正に再利用する偽造ＤＡＰを、ユーザが検出できるようにする。
【００１８】
本発明の１つの特定の特徴によれば、本方法は、前記送信するステップに先立って少なくとも前記識別子を取得することを可能にするステップをさらに含んでいる。
【００１９】
従って、このような実施形態は、ユーザによる手動のキー入力を避けるので、使用の簡潔性及び信頼性の観点から利点を提供する。実際に、このユーザは、自身に与えられたＤＡＰの信頼性を検証したいと思うことがある一方で、同時に、この検証を行うとき、第三者（例えば、商取引者（merchant））に対して当惑する又は不快に思うことがある。ユーザ端末の主導で検証が自動的に行われるような幾つかの実施形態では、ユーザに対して強化されたセキュリティを提供することができ、同時に、ユーザを第三者に対してこの検証を行う重荷から開放された気持にすることができる。
【００２０】
本発明の１つの特定の実施形態によれば、前記取得するステップは、前記識別子を有する使用する前記データ収集周辺機器が保持しているバーコード及び／又はフラッシュ・コードを読み取るステップと、無線通信手段によって前記識別子を有するデータ・ストリームを受信するステップと、前記識別子を有する前記使用するデータ収集周辺機器によりもたらされるＲＦＩＤラベルを読み取るステップと、前記識別子を有する前記使用するデータ収集周辺機器によりもたらされる文字を光学認識するステップとを含むグループに属するサブステップを有している。
【００２１】
本発明の１つの特定の特徴によれば、前記取得するステップは、さらに、前記認証サーバを指定するために情報を提供する。
【００２２】
このような実施形態は、認証されるＤＡＰに適しているサーバで検証を実施できるようにすることの利点を提供する。
【００２３】
本発明の１つの特定の特徴によれば、前記検証するステップは、前記参照される信頼できる周辺機器に関連付けられた通信端末を指定する情報を取得するサブステップを含んでいる。
【００２４】
従って、いくつかの実施形態では、本発明の解決策は、指定情報により指定された端末によって、参照される信頼できるＤＡＰとの対話の手段をサーバに提供する。
【００２５】
さらに、参照される信頼できるＤＡＰに対する参照商取引者の端末の定義は、使用するＤＡＰの信頼性を検証するための付加的な手段を提供する。それは、ＤＡＰが接続されている第三者の端末の信頼性を検証できるようにする。
【００２６】
本発明の１つの特定の特徴によれば、前記識別判定を送信するステップは、前記使用するデータ収集周辺機器の信頼性をチェックするステップの前に、前記識別子に関連付けられた前記参照される信頼できる周辺機器に示された少なくとも１つのデータを送信するステップと、少なくとも１つの通信端末に示された少なくとも１つのデータを送信するステップと、前記識別子に関連付けられた前記参照される信頼できる周辺機器からのテスト・シーケンスを送り出すステップと、これらのサブステップの幾つかの組合せとを含むグループに属する少なくとも１つのサブステップを含んでいる。
【００２７】
本発明の１つの特定の実施形態によれば、前記識別子は通信端末から送信され、前記識別の判定は前記通信端末によって受信される。
【００２８】
このように、本発明は、商取引者の端末に依存することなく、特に、不正な端末による予想外の動作に対して自身を保護できるように、ユーザが自身の端末を介してＤＡＰを試験できるようにする。そのような実施形態はまた、第三者に対する顧客の自由裁量の観点から利点がある。
【００２９】
別の態様によれば、本発明は、コンピュータで実行されるとき、上記の方法を（その種々の実施形態のいずれか１つの中で）実行するためのプログラム・コード命令を含むコンピュータ・プログラム製品に関する。
【００３０】
さらに別の態様によれば、本発明は、使用するデータ収集周辺機器を認証するためのサーバに関し、前記周辺機器は少なくとも１つの識別子を有している。
【００３１】
本発明によれば、そのようなサーバは、前記識別子を受信する手段と、識別の判定を伝達しながら、参照される信頼できる周辺機器に対する前記識別子の関連性を検証する手段と、前記識別の判定を送信する手段とを備えている。
【００３２】
有利なことに、本発明の認証サーバは、その種々の実施形態のいずれか１つの中で上述したように、信頼性を検証する方法の中で機能するステップを実行するための手段を備えている。
【００３３】
さらに別の態様によれば、本発明は、第１の通信端末に接続され、使用するデータ収集周辺機器の信頼性を検証するためのシステムに関する。前記周辺機器は少なくとも１つの識別子を有し、また前記システムは少なくとも１つの第２の通信端末、及び本発明に基づいて周辺機器を検証するためのサーバを備えている。
【００３４】
本発明によれば、前記システムは、前記識別子を前記第２の通信端末から前記サーバに送信する手段と、前記第１の端末が使用する認証された周辺機器からデータの特定のシーケンスの取得をテストする手段と、前記第２の端末による前記サーバによる識別の判定を受信する手段とを備えている。
【００３５】
従って、本発明の解決策は、銀行取引に関連するすべての装置の検証を、銀行取引が実行される前に可能にする。
【００３６】
有利なことに、本発明に基づいて信頼性を検証するシステムは、その種々の実施形態のいずれか１つの中で上述したように、信頼性を検証するための方法の中で機能するステップを実行する手段を備えている。
【００３７】
本発明の他の特徴及び利点は、網羅的でない表示によって与えられる以下の説明及び添付図面から明らかとなろう。
【図面の簡単な説明】
【００３８】
【図１】本発明の一般的な原理を示す図である。
【図２】第１の特定の実施形態による本発明の方法のステップを示す図である。
【図３】第２の特定の実施形態による本発明の方法のステップを示す図である。
【図４】本発明の１つの特定の実施形態によるアプリケーション・サーバの構成を示す図である。
【００３９】
本明細書の全ての図面において、同一の要素及びステップには同じ参照番号を付している。
【発明を実施するための形態】
【００４０】
１．一般原理
ここで図１を参照すると、本発明の一般原理が示されている。この原理は、インターネット型通信機能を備えた端末１００、例えばスマートフォンのユーザ（又は「顧客」）が、このＤＡＰによって支払いを行う前に、例えばユーザのクレジット・カードをこのＤＡＰ１２０に挿入する前に、ＤＡＰ１２０の信頼性を確認できることにある。
【００４１】
本発明の解決策は、ユーザが認証サーバ１６０を用いてＤＡＰ１２０の信頼性の検証を行い、返信でこの検証結果を示す情報を受け取り、さらに必要な場合、ユーザが使用しようとしているＤＡＰが真に信頼性が検証されているものであることを確認できるようにすることをユーザに提案している。
【００４２】
幾つかの実施形態では、図１に示すように、第三者の端末１４０から使用されるのをＤＡＰとすることができる。別の実施形態では、例えば、第三者が利用可能な端末を持っていない場合は、ユーザ自身の端末から使用されるのを、第三者に属するＤＡＰとすることができる。
【００４３】
ＤＡＰの認証の確認は、特にユーザ自身の端末１００から開始することができる。検証は、信頼性に関してユーザが全く疑いを持っていない装置から開始されるため、そのような実施形態はユーザに付加的なセキュリティの保証を提供する。
【００４４】
本発明の実施形態によれば、この方法は、例えばインターネット接続を通してアクセス可能なリモート・サーバ上に配置されたアプリケーションにリンク・アップして、ユーザが手作業で実行できるし、あるいは、リモート・サーバ上に配置されたアプリケーションと対話するタスクを行うユーザの電話にダウンロードしたアプリケーションを用いて自動的に実行することができる。
【００４５】
この方法は、第三者の端末にダウンロードしたアプリケーションを通して実行することもできる。
【００４６】
２．本発明の第１の実施形態の提示
図１及び図２を参照しながら、第１の特定の実施形態による本発明の方法のステップを示す。
【００４７】
この実施形態では、認証方法は、商取引者が所有しているＤＡＰ１２０から支払いを行うことを希望している顧客の端末（Ｔ−Ｃ）１００から開始される。
【００４８】
提示された実施形態では、商取引者のＤＡＰ１２０の信頼性を検証するために、ユーザは自身の電話１００を有している。このスマートフォン型の電話１００は、ＤＡＰ１２０との通信手段を備えている。これは、例えば、ＵＳＢポート又はブルートゥース型通信手段又は電話のオーディオ・コネクタとすることができる。
【００４９】
図２に示した実施形態では、この方法は、先ず第１に、特にＤＡＰ１２０に含まれる識別子を取得できるようにする、取得するステップ２００を含んでいる。
【００５０】
この取得ステップ２００は、（例えば、近傍のＤＡＰの通常の問合せの後で）端末自身の主導で、又は（例えば、ユーザの端末のバッテリーの消費を最小にするために）ユーザの主導で、端末１００が実行することができる。
【００５１】
この取得ステップ２００は、特に、電話とＤＡＰ１２０とを接続する通信手段（例えば、オーディオ・コネクタ）を使用して、この識別子を取得することができる。
【００５２】
端末１００は、ＤＡＰ上に存在しＤＡＰの識別子を含むＲＦＩＤラベルを読み取ることができるＲＦＩＤリーダを備えることもできる。このリーダは、端末１００がＤＡＰの近傍に来ると直ぐに始動する。
【００５３】
従って、取得ステップ２００は、スキャナ又はディジタル・カメラなどの画像取得手段を実行することができる。この画像取得手段は、ユーザによって、例えば、ユーザの電話で動作する特定のアプリケーションによってアクティブにされ、そしてＤＡＰ１２０内に存在し周辺機器の識別子を有するバーコード又は２Ｄコード（又はフラッシュ・コード）を取得できるようにする。
【００５４】
別の実施形態では、識別子は、顧客が端末１００において手作業で、例えば、ＤＡＰに存在するシリアル番号の入力により、入力される。
【００５５】
幾つかの実施形態では、取得ステップ２００はまた、取得した識別子が送信される認証サーバをアドレス指定する情報を得ることができるようにしてもよい。このアドレス指定情報は、ＤＡＰの識別子と同時に得ることができる。例えば、それを識別子と同じフラッシュ・コードの中に含めることができる。アドレス指定情報の取得と識別子の取得は別個に行うこともできる。
【００５６】
この方法は、認証サーバ１６０によって識別子を受信するステップ２０２をさらに含む。本発明の幾つかの実施形態では、このサーバは、そのアドレスが、例えば、ＤＡＰ認証専用のアプリケーションを電話にダウンロードしている間にユーザの電話に予め記録される特別なサーバとすることができる。次いで、同サーバは、どのようなＤＡＰが存在していてもアプローチされる。本発明の別の実施形態では、本願で前述したように、検証するＤＡＰ１２０によって異なる可能性があるのは、ＤＡＰ１２０自身から得たアドレスとすることができる。それは、例えば、ＤＡＰ１２０製造業者の電子アドレスとすることができる。
【００５７】
次に、この方法は、受信した識別子と参照する信頼できるＤＡＰとの関連性をサーバによって検証するステップを含む。例えば、識別子がシリアル番号及び／又はＤＡＰの製造業者によって保持されかつデータベースからアクセス可能な製造バッチ番号のリストに属していることは事実とすることができる。
【００５８】
検証するステップは、使用するＤＡＰと双方向の対話を行うためのステップ２０４を特に含むことができる。このステップ２０４は、図２に示すように顧客の電話１００によって、又は第三者の電話１４０によって実行される。この対話は、その認証を可能にするために、例えば、固有のキー及び／又は動的なキー又はディジタル証明書のＤＡＰとの交換に基づくことができる。
【００５９】
幾つかの特定の実施形態では、例えば、認証されるＤＡＰが物理的な保証手段（means of physical securing）（例えば、侵入及び／又は秘密事項の消去を検出する手段）を有する場合、このステップはＤＡＰ１２０内のダメージ又は侵入がないことを検証するステップも含むことができる。
【００６０】
最後に、コンピュータ・ウイルスの危険性に対してユーザの電話を保護するために、また特定のアプリケーションをダウンロードしなければならないことを避けるために、幾つかの実施形態では、この対話をユーザの電話１００のブラウザを通してのみ行うことができる。このような実施形態は、検証をサーバとＤＡＰが接続されている端末１００との間で自動的に行うことができるので、ユーザー側でいかなるアクションも必要としないという利点をさらに提供する。
【００６１】
検証するステップは、参照する信頼できるＤＡＰに関連付けられた端末を指定する情報を取得するステップを含むこともできる。従って、この指定する情報は、ＤＡＰを通常接続する端末に取り付けることを可能にする（この端末は、簡略化のめに、以降では「参照用商業者端末」と呼ぶ）。そのような指定情報は、例えば、信頼できるＤＡＰを参照もするデータベースの中に集中化した方法で記憶することができる。
【００６２】
このような実施形態では、サーバが参照用商業者端末によって、参照する信頼できるＤＡＰと対話できる。また、提示されるデータを送信するために、サーバが「確実な」商業者端末を有することもできる（特にステップ２０６参照）。
【００６３】
検証するステップは、その信頼性を提示しながら、使用されるＤＡＰ１２０を識別するための判定に到達する。
【００６４】
本発明の方法は、次いで、サーバが、例えばユーザの電話１００、第三者の端末１４０及び／又は参照用商業者端末に向かって、この判定を送信するステップ２０６を含んでいる。
【００６５】
サーバにより前記判定を送信するステップは、提示されるデータ、例えば視覚情報、音声情報及び／又はテキスト情報を、クライアント通信端末、参照用商業者端末及び／又はユーザ端末に送信する少なくとも１つのサブステップを特に含むことができる。この情報は、特に識別の決定に依存しても良い。
【００６６】
従って、ステップ２０６は、例えば、電話１００に音声メッセージ又はテキスト・メッセージを生成するステップを含み、これにより、クライアントに潜在的な危険を知らせ、及び／又は、逆に、認証されたＤＡＰは信頼できると考えることができることを顧客に知らせる。
【００６７】
幾つかの実施形態、特に図２に示した実施形態では、この方法は、使用するＤＡＰの信頼性をチェックするステップ２０８を含むことができる。
【００６８】
送信するステップの間、このステップは、使用するＤＡＰ内に含まれる識別子に関連付けられた信頼できるＤＡＰが真に商業者が示したものであることをユーザが確かめられるようにする手段をサーバが提供するステップに先行されてもよい。
【００６９】
提供手段のこのステップは、ＤＡＰ、クライアント端末１００、第三者の端末１４０及び／又は参照用商業者端末に示されるデータを送信するステップを特に含むことができる。
【００７０】
例えば、ＤＡＰに存在するＬＥＤの点灯を指示するデータを、サーバによって送信するサブステップを含むことができる。これらのＬＥＤの色（例えば、赤又は緑）及び／又はアニメーションの速度は、ＤＡＰの識別の判定（また、場合によっては、ＤＡＰへの侵入の危険性の検出）を示し、従ってさらに、使用したＤＡＰが真に参照する信頼できるＤＡＰであることを、ユーザが視覚的にチェックできるようにする。
【００７１】
補完的な実施形態である可能性があり、また少なくとも１つのＬＥＤを統合しているＤＡＰに適した別の実施形態では、チェックするステップ２０８は、サーバによって動的に規定され（例えば、ランダム・シーケンス）、またステップ２０６の間に電話１００のユーザに予め提示される、特定のＬＥＤフラッシングシーケンスによって、例えば、ＳＭＳを送信するサブステップによって実行することができる。
【００７２】
別の実施形態では、認証サーバから判定を送信するステップ２０６は、クライアントの電話１００に提示されるコードを送信するサブステップ、及び参照される商業者の端末にこの同じコードを送信するサブステップを含んでもよい。チェックするステップは、これら２つのコードを読み取りかつ比較する処理を含むことができる。従って、チェックするステップによって、ユーザは第三者の端末が真に参照される商業者端末であることを確認することができる。
【００７３】
比較されるコードは、例えば、それが参照されているとき、又は動的に、認証されたＤＡＰによって生成される。又は、比較されるコードは、参照される商業者端末で実行されるアプリケーションによって生成される。
【００７４】
補完的な実施形態とすることもできるさらに別の実施形態では、ステップ２０６の間に、参照される信頼できるＤＡＰに補完的でチェック容易な情報を提供することができる。この情報は、例えば、参照される信頼できるＤＡＰのために記録された商業者に関する情報（例えば、その名前、職業、写真）であってもよく、あるいはまた、サーバによって位置判定されることを可能にする手段を備えている場合には、参照される信頼できるＤＡＰの位置判定（locating）又は参照される商業者端末の位置判定（locating）の情報であってもよい。後者の場合、チェックするステップ２０８は、電話１００で実行されている専用のアプリケーションによって、参照される信頼できるＤＡＰの位置若しくは参照される商業者端末の位置を例えば電話１００の位置と比較することによって、特に自動的に動作することができる。
【００７５】
３．本発明の第２の実施形態の提示
ここで図３を参照しながら、本発明の第２の実施形態が示す。
【００７６】
この実施形態は、使用されるＤＡＰの識別子の信頼できるＤＡＰに対する関連性を検証するステップが、処理の完全チェーンの完全性の検証を可能にするために使用されるＤＡＰを用いながら、架空のトランザクションを開始するステップ３０３を含んでいるという点で、特に図２に示した実施形態とは異なっている。
【００７７】
この開始するステップ３０３は、認証サーバからクライアント端末１００に対して、又は図３に示すように第三者の端末１４０に対して行うことができる。
【００７８】
後者の場合、受信するステップ２０２は、開始命令がアドレス指定される第三者の電話１４０の識別子を認証サーバが受信するサブステップを特に含むことができる。
【００７９】
別の実施形態では、開始するステップ３０３は、参照される商業者端末に対して行うことができる。このため、開始するステップが行われない場合は、使用されるＤＡＰが信頼できるＤＡＰではないことをユーザが容易に認識できる。
【００８０】
実行される架空のトランザクションは、例えば、ＤＡＰを購入するとき商業者に与えられるテストカード、又は例えばサブスクリプションがＤＡＰの信頼性を検証する専用のアプリケーションに取り出されたときユーザに与えられるテストカード、又は保護されたオンライン・バンキング・サービスに予約の一部として与えられるテストカードを、使用するＤＡＰが読み取るステップを含むことができる。
【００８１】
従って、図３に示す実施形態では、テストカードとして使用される単純な磁気カードからＤＡＰによって読み取られるデータは、ステップ３０４の間に第三者の電話１４０に与えられ、次に、サーバによって受信される（ステップ３０５）。
【００８２】
特に、ＤＡＰはブロックされたままであるため、試験の開始からサーバをブロック解除する命令を受信するまで、どのような他のトランザクションも阻止することができる（ステップ３０６）。
【００８３】
上述した方法は、電子支払いカードを読み取るために使用するＤＡＰを対象にしている。しかしながら、ＤＡＰの信頼性が、例えば個人の身元を証明する電子カードにとって極めて重要である場合は常に、上述した方法は本発明の枠組みから逸脱することなく、多数の他の用途に容易に適合させることができることは明らかである。
【００８４】
本発明の多くの他の実施形態を想定できることも明らかである。
【００８５】
４．本発明に係る認証サーバの構造
図４を参照しながら、本発明に係る認証サーバの簡略化された構造を提示する。
【００８６】
このようなサーバは、バッファ・メモリを備えるメモリ４１２と、例えばマイクロプロセッサμＰを実装しコンピュータ・プログラム４１６によって駆動される処理ユニット４１４とを具備し、本発明の１つの特定の実施形態に係る信頼性を検証する方法を実行する。
【００８７】
初期化時に、コンピュータ・プログラム４１６のコード命令は、例えばＲＡＭにロードされ、次いで、処理ユニット４１４のプロセッサによって実行される。
【００８８】
処理ユニット４１４は、データ・ストリームのヘッダを入力する。
【００８９】
処理ユニット４１４のマイクロプロセッサは、コンピュータ・プログラム４１６の命令に基づいて、上述した信頼性を検証する方法のステップを実行する。
【００９０】
この目的のために、認証サーバは、バッファ・メモリ４１２に加えて、使用するデータ収集周辺機器に含まれる識別子を受信する手段と、識別の判定を伝達しながら、参照される信頼できる周辺機器に対する前記識別子の関連性を検証する手段と、前記識別の判定を送信する手段とを備えている。
【００９１】
これらの手段は、処理ユニット４１４のマイクロプロセッサによって動作する。
【００９２】
１つの実施形態によれば、本発明は、ソフトウェア及び／又はハードウェアのコンポーネントによって実行される。この観点から、この文書の中の用語「手段」は、ソフトウェア・コンポーネント及びハードウェア・コンポーネントに対応し、又はソフトウェア及びハードウェアのコンポーネントのセットに同様に良く対応することができる。
【００９３】
ソフトウェア・コンポーネントは、１つ又は複数のコンピュータ・プログラム、プログラムの１つ又は複数のサブプログラムに対応し、又はより一般的には、関係する手段に関して本明細書で記載された内容に従って機能又は１組の機能を実行することができるプログラムの要素又はソフトウェアのアイテムに対応する。そのようなソフトウェア・コンポーネントは、物理的エンティティ（端末、サーバ、ゲートウェイ、セットトップボックス、ルータ、など）のデータ・プロセッサによって実行され、またこの物理的エンティティのハードウェア・リソース（メモリ、記録媒体、通信バス、入力／出力電子カード、ユーザなど）にアクセスすることができる。
【００９４】
同様に、ハードウェア・コンポーネントは、関係するモジュールに関して本明細書で記載された内容に従って、機能又は１組の機能を実行できるハードウェアのセットの任意の要素に対応する。これは、例えば、集積回路、スマートカード、メモリカード、ファームウェアを実行するための電子カード、等のソフトウェアを実行するためのプログラム可能なハードウェア・コンポーネント又は、統合されたプロセッサを有するコンポーネントとすることができる。
【図１】
2014041607.tif 000003
【図２】
2014041607.tif 000004
【図３】
2014041607.tif 000005
【図４】
2014041607.tif 000006
【外国語明細書】
2014041607.tif 000007
2014041607.tif 000008
2014041607.tif 000009
2014041607.tif 000010
2014041607.tif 000011
2014041607.tif 000012
2014041607.tif 000013
2014041607.tif 000014
2014041607.tif 000015
2014041607.tif 000016
2014041607.tif 000017
2014041607.tif 000018
2014041607.tif 000019
2014041607.tif 000020
2014041607.tif 000021
2014041607.tif 000022
2014041607.tif 000023
2014041607.tif 000024
2014041607.tif 000025
2014041607.tif 000026
2014041607.tif 000027